【手続補正書】
【提出日】令和3年10月12日(2021.10.12)
【手続補正１】
【補正対象書類名】特許請求の範囲
【補正対象項目名】全文
【補正方法】変更
【補正の内容】
【特許請求の範囲】
【請求項１】
読出センサアレイ、第１のシンチレータ構造、第２のシンチレータ構造、及びコーティングを備える放射線検出器であって、
前記読出センサアレイは、複数の感光センサピクセルを備え、
前記第１のシンチレータ構造は、ギャップによって分離された複数の第１のシンチレータピクセルを備え、
前記第２のシンチレータ構造は、前記第１のシンチレータ構造に光学的に結合され、
前記第１のシンチレータ構造及び前記第２のシンチレータ構造は、前記コーティングと前記読出センサアレイとの間に配置され、
前記第２のシンチレータ構造は、前記第１のシンチレータ構造の前記第１のシンチレータピクセル間の前記ギャップに少なくとも部分的に重なり、
前記第２のシンチレータ構造は、ギャップによって分離された複数の第２のシンチレータピクセルを備え、
少なくとも１つの第２のシンチレータピクセルは、前記第１のシンチレータピクセル間の前記ギャップに少なくとも部分的に重なり、
前記少なくとも１つの第２のシンチレータピクセルは、粒子含有バインダシンチレータ材料によって形成された少なくとも１つの傾斜表面部を備え、
前記粒子含有バインダシンチレータ材料によって形成された前記少なくとも１つの傾斜表面部は、前記第１のシンチレータ構造によって形成された層に対して傾斜されている、放射線検出器。
【請求項２】
前記少なくとも１つの第２のシンチレータピクセルは、正確に１つの第１のシンチレータピクセルに光学的に結合される、請求項１に記載の放射線検出器。
【請求項３】
前記少なくとも１つの第２のシンチレータピクセルは、正確に２つの第１のシンチレータピクセルに光学的に結合される、請求項１に記載の放射線検出器。
【請求項４】
前記少なくとも１つの第２のシンチレータピクセルは、前記少なくとも１つの第２のシンチレータピクセルに光学的に結合された、前記正確に２つの第１のシンチレータピクセル間の前記ギャップ内に延在しない、請求項３に記載の放射線検出器。
【請求項５】
前記少なくとも１つの傾斜表面部のうちの１つの傾斜表面部は、前記少なくとも１つの第２のシンチレータピクセル内からの光を、前記少なくとも１つの第２のシンチレータピクセルに光学的に結合された第１のシンチレータピクセルに向けて反射する、請求項１に記載の放射線検出器。
【請求項６】
前記少なくとも１つの第２のシンチレータピクセルは、前記第１のシンチレータ構造によって形成された層に対して傾けられ、前記少なくとも１つの第２のシンチレータピクセルと、前記少なくとも１つの第２のシンチレータピクセルに光学的に結合されていない第１のシンチレータピクセルとの間の他のギャップを増大させ、
前記少なくとも１つの第２のシンチレータピクセルと、前記第１のシンチレータピクセルとの間の前記他のギャップは少なくとも、前記少なくとも１つの傾斜表面部のうちの１つの傾斜表面部によって、及び前記第１のシンチレータピクセルによって形成される、請求項１に記載の放射線検出器。
【請求項７】
前記第１のシンチレータ構造は、セラミックシンチレータ材料を備える、請求項１に記載の放射線検出器。
【請求項８】
前記コーティングは、光反射層である、請求項１に記載の放射線検出器。
【請求項９】
薄い可撓性ポリマ箔又はガラスで作られた基板をさらに備える、請求項１に記載の放射線検出器。
【請求項１０】
非平面形状を有する、請求項１に記載の放射線検出器。
【請求項１１】
放射線源と、
読出センサアレイ、第１のシンチレータ構造、第２のシンチレータ構造、及びコーティングを備える放射線検出器であって、
前記読出センサアレイは、複数の感光センサピクセルを備え、
前記第１のシンチレータ構造は、ギャップによって分離された複数の第１のシンチレータピクセルを備え、
前記第２のシンチレータ構造は、前記第１のシンチレータ構造に光学的に結合され、
前記第１のシンチレータ構造及び前記第２のシンチレータ構造は、前記コーティングと前記読出センサアレイとの間に配置され、
前記第２のシンチレータ構造は、前記第１のシンチレータ構造の前記第１のシンチレータピクセル間の前記ギャップに少なくとも部分的に重なり、
前記第２のシンチレータ構造は、ギャップによって分離された複数の第２のシンチレータピクセルを備え、
少なくとも１つの第２のシンチレータピクセルは、前記第１のシンチレータピクセル間の前記ギャップに少なくとも部分的に重なり、
前記少なくとも１つの第２のシンチレータピクセルは、粒子含有バインダシンチレータ材料によって形成された少なくとも１つの傾斜表面部を備え、
前記粒子含有バインダシンチレータ材料によって形成された前記少なくとも１つの傾斜表面部は、前記第１のシンチレータ構造によって形成された層に対して傾斜されている、放射線検出器と、
を備えた、撮像システム。
【請求項１２】
前記放射線検出器の前記読出センサアレイは、前記放射線源に向けられている、請求項１１に記載の撮像システム。
【請求項１３】
放射線検出器を製造するための方法であって、前記方法は、
読出センサアレイ、第１のシンチレータ構造、第２のシンチレータ構造、及びコーティングを組み立てるステップを有し、
前記読出センサアレイは、複数の感光センサピクセルを備え、
前記第１のシンチレータ構造は、ギャップによって分離された複数の第１のシンチレータピクセルを備え、
前記第２のシンチレータ構造は、前記第１のシンチレータ構造に光学的に結合され、
前記第１のシンチレータ構造及び前記第２のシンチレータ構造は、前記コーティングと前記読出センサアレイとの間に配置され、
前記第２のシンチレータ構造は、前記第１のシンチレータ構造の前記第１のシンチレータピクセル間の前記ギャップに少なくとも部分的に重なり、
前記第２のシンチレータ構造は、ギャップによって分離された複数の第２のシンチレータピクセルを備え、
少なくとも１つの第２のシンチレータピクセルは、前記第１のシンチレータピクセル間の前記ギャップに少なくとも部分的に重なり、
前記少なくとも１つの第２のシンチレータピクセルは、粒子含有バインダシンチレータ材料によって形成された層に対して傾斜された少なくとも１つの傾斜表面部を備え、
前記粒子含有バインダシンチレータ材料によって形成された前記少なくとも１つの傾斜表面部は、前記第１のシンチレータ構造によって形成された層に対して傾斜されている、方法。
【請求項１４】
積層造形によって前記第２のシンチレータ構造を前記第１のシンチレータ構造に取り付けるステップを有し、前記第２のシンチレータ構造は、粒子含有バインダシンチレータ材料を備える、請求項１３に記載の方法。
【請求項１５】
前記複数の第１のシンチレータピクセルは、前記粒子含有バインダシンチレータ材料によって形成された前記少なくとも１つの傾斜表面部のうちの１つの傾斜表面部の側面に面する入射表面部を含み、
前記粒子含有バインダシンチレータ材料によって形成された前記傾斜表面部は、前記傾斜表面部から前記入射表面部に向かう方向で見たときに、前記入射表面部に重なる、請求項１に記載の放射線検出器。
【請求項１６】
前記複数の第１のシンチレータピクセルの前記傾斜表面部は、前記少なくとも１つの第２のシンチレータピクセルの前記粒子含有バインダシンチレータ材料と直接接触する、請求項１５に記載の放射線検出器。
【請求項１７】
前記ギャップのうちの１つの内部の光反射性材料によって形成される表面部をさらに備え、
前記光反射性材料によって形成される前記表面部と、前記少なくとも１つの傾斜表面部のうちの１つの傾斜表面部とは、前記コーティングの一部が中に配置される別のギャップを形成する、請求項１に記載の放射線検出器。